(57)【要約】【課題】上下に配設したフェンスパネル体を支柱に取付けた所謂二段支柱仕様のフェンスにおいて、上下に配設したフェンスパネル体の支柱への取付けを簡単なものとし、上側フェンスパネル体と下側フェンスパネル体の突合せ部分の隙間を無くし、外観を良好なものとしたフェンスを提供する。【解決手段】所定間隔をおいて立設した支柱２に、上下に配設した２枚のフェンスパネル体３を設けたフェンス１であって、上側フェンスパネル体３Ａと下側フェンスパネル体３Ｂを中間胴縁４を介して一体的に連結し、上側フェンスパネル体３Ａの上縁に上胴縁５を設け、下側フェンスパネル体３Ｂの下縁に下胴縁６を設け、中間胴縁４、上胴縁５及び下胴縁６の何れかを支柱２に取付ける。【選択図】　　　　図１
2004076290.tif 000002
【特許請求の範囲】
【請求項１】
所定間隔をおいて立設した支柱に、上下に配設した２枚のフェンスパネル体を設けたフェンスであって、上側フェンスパネル体と下側フェンスパネル体を中間胴縁を介して一体的に連結し、上側フェンスパネル体の上縁に上胴縁を設け、下側フェンスパネル体の下縁に下胴縁を設け、中間胴縁、上胴縁及び下胴縁の何れかを支柱に取付けたことを特徴とするフェンス。
【請求項２】
フェンスパネル体の上下縁に係合部を形成し、上胴縁の下縁、中間胴縁の上下縁及び下胴縁の上縁に係合部と係合する被係合部を形成したことを特徴とする請求項１に記載のフェンス。
【発明の詳細な説明】
【０００１】
【発明の属する技術分野】
この発明は、隣地境界線あるいは歩道等の側部に沿って施工されるフェンスであって、特に防犯あるいは視線を遮断する目的から高さを必要とするフェンスとして好適な、フェンスパネル体を上下に配設した所謂二段柱仕様と称呼されるフェンスに関するものである。
【０００２】
【従来の技術】
従来、施工場所に立設した支柱に、上胴縁と下胴縁と左右縦框により枠組した方形状のフェンスパネル体を取付けたフェンスが知られている。フェンスパネル体は製造コストを削減する目的から、予め所定の大きさに形成されており、フェンスの高さを必要とする施工場所においては、２枚のフェンスパネル体を上下に配設し、その高さを一挙に２倍とする施工方法が知られている（特開２００１−２４１２１８公報参照）。所謂二段柱仕様フェンスであり、フェンスパネル体二つ分の高さに相当する支柱を立設し、この支柱に上下に配設したフェンスパネル体を取付けたものである。
二段柱仕様のフェンスは、防犯あるいは視線を遮断したい場所での施工に好適であるほか、上下に異なった意匠のフェンスパネル体を配設することにより、装飾効果を高める目的からも利用されている。
【０００３】
図８は従来の二段柱仕様フェンスを表すものであり、上胴縁と下胴縁と左右縦框により枠組みしてフェンスパネル体を形成し、上下に配設した二つのフェンスパネル体Ｂ１、Ｂ２の両側が支柱Ａに取付けられている。
このような二段柱仕様フェンスによると、上側のフェンスパネル体Ｂ１と下側のフェンスパネル体Ｂ２を個別に支柱に取付けなければならず、その取付作業が煩雑なものであった。しかも、夫々のフェンスパネル体の上胴縁と下胴縁の両端部を連結ブラケット等を用いて支柱に取付ける必要があり、連結ブラケット等の部品点数増加を招くものであった。
また、最も目につき易い高さ位置にある上側のパネル体Ｂ１と下側のパネル体Ｂ２の突合せ部分が、複雑な形状を呈したり、隙間Ｓが発生するなどして外観を悪化させるものであった。
【０００４】
【発明が解決しようとする課題】
この発明の目的は、上下に配設したフェンスパネル体の支柱への取付けを簡単なものとし、上側フェンスパネル体と下側フェンスパネル体の突合せ部分の隙間を無くし、外観を良好なものとしたフェンスを提供することにある。
【０００５】
【課題を解決するための手段】
本発明者等は、このような事情に鑑み鋭意検討を重ねた結果、所定間隔をおいて立設した支柱に、上下に配設した２枚のフェンスパネル体を設けたフェンスであって、上側フェンスパネル体と下側フェンスパネル体を中間胴縁を介して一体的に連結し、上側フェンスパネル体の上縁に上胴縁を設け、下側フェンスパネル体の下縁に下胴縁を設け、中間胴縁、上胴縁及び下胴縁の何れかを支柱に取付けたことによって、所期の目的を達成したものである。
【０００６】
さらに、フェンスパネル体の上下縁に係合部を形成し、上胴縁の下縁、中間胴縁の上下縁及び下胴縁の上縁に係合部と係合する被係合部を形成したことにより、パネル体の取付けを簡便に行うと共に、外観を美麗に仕上げることができるものである。
【０００７】
【作用】
この発明によれば、上下に位置するフェンスパネル体は中間胴縁を介して一体的に連結されているので、上側フェンスパネル体と下側フェンスパネル体を個別に支柱に取付けることなく、上下のフェンスパネル体を一纏めにして支柱へ取付けることができるので、フェンスパネル体の支柱への取付けが簡単に行えると共に、フェンスパネル体と支柱を連結するブラケット等の部品点数を削減することができ、上下のフェンスパネル体の突合せ部分における外観を良好なものとすることができる。
【０００８】
【発明の実施の形態】
以下、発明の実施の形態を実施例に基づき説明する。
図１ないし７は本発明フェンスの実施例であり、図中１はフェンスを表わし、フェンス１は施工場所に立設した支柱２と、支柱２に取付けられるフェンスパネル体３とから構成されている。
フェンスパネル体３は、上下に配設された上側フェンスパネル体３Ａと下側フェンスパネル体３Ｂとを有し、上側フェンスパネル体３Ａと下側フェンスパネル体３Ｂは一般的な高さを有する通常のフェンスのパネル体として利用可能である。フェンスパネル体３（３Ａ、３Ｂ）は、上下縁に配設した横框３１、３１と左右側縁に配設した縦框３２、３２を枠組みして方形状の枠体３３を形成し、枠体３３内に装飾部材３４を配設して形成されている。
【０００９】
本実施例においては、上側フェンスパネル体３Ａの装飾部材３４がアルミニウム製形材による横桟材を配設したルーバータイプ、下側フェンスパネル体３Ｂの装飾部材３４が縦横線材を網状としたメッシュタイプとしているが、種々の意匠のフェンスパネル体３を単独あるいは組み合わせて用いることができる。
図７に示すのは、フェンスパネル体３の他の実施例であり、装飾部材３４の意匠が異なっている。（イ）が横格子、（ロ）が縦格子、（ハ）が十字格子、（ニ）が斜め十字格子、（ホ）がパンチングメタルであり、第一の実施例と同じ箇所については同一符号を用い、その説明を省略する。
【００１０】
上側フェンスパネル体３Ａと下側フェンスパネル体３Ｂは、中間胴縁４を介して一体的に連結されている。即ち上側フェンスパネル体３Ａの下縁に配設した横框３１Ａに形成した係合部３１１Ａが中間胴縁４の上縁に形成した被係合部４１Ａと係合し、下側フェンスパネル体３Ｂの上縁に配設した横框３１Ｂに形成した係合部３１１Ｂが中間胴縁４の下縁に形成した被係合部４１Ｂと係合している。なお、横框３１Ａ、３１Ｂの係合部３１１Ａ、３１１Ｂと中間胴縁４の被係合部４１Ａ、４１Ｂの係合は、係合部３１１Ａ、３１１Ｂと被係合部４１Ａ、４１Ｂの何れか一方の端部から他方の端部をスライドして係合される。
【００１１】
上側フェンスパネル体３Ａの上縁に配設した横框３１Ａにも係合部３１１Ａが形成されており、支柱２間に架設される上胴縁５の下縁に形成した被係合部５１と係合する。下側フェンスパネル体３Ｂの下縁に配設した横框３１Ｂにも係合部３１１Ｂが形成されており、支柱２間に架設される下胴縁６の上縁に形成した被係合部６１と係合する。なお、横框３１Ａ、３１Ｂの係合部３１１Ａ、３１１Ｂと上下胴縁５、６の被係合部５１、６１の係合方法は、上記横框３１Ａ、３１Ｂの係合部３１１Ａ、３１１Ｂと中間胴縁４の被係合部４１Ａ、４１Ｂの係合と同様に行われる。
【００１２】
さらに、一体化されたフェンスパネル体３Ａ、３Ｂの両側には端部カバー７が配設され、図２に示すフェンスパネル体３が形成される。フェンスパネル体３が取付けられる支柱２の側面には、断面十字形状のジョイント部材８が螺子手段等を用いて突設され、ジョイント部材８と上胴縁５、下胴縁６が夫々連結されて、フェンスパネル体３が支柱に取り付けられる。
【００１３】
具体的には、下側のジョイント部材８を支柱２の側面に螺子手段等を用いて固定しておき、上側のジョイント部材８を上胴縁５の端部に挿入し、上胴縁５とジョイント部材８はビス９を用いて予め固着しておく。支柱２の上端部には上側のジョイント部材８の基端部が挿入される切欠部を形成しておき、その切欠部に上側のジョイント部材８の基端部を挿入し、さらに上方から支柱２のキャップ２１を挿入して上側のジョイント部材８が抜け止めされる。
下胴縁６の両端部下面は切欠かれており、下側のジョイント部材８に上方位置から下胴縁６を嵌合し、下胴縁６の端部をジョイント部材８の上面に載置し、ビス９を用いて下胴縁６をジョイント部材８に固定することによって、フェンスパネル体３の支柱２への取付けが完了する。
【００１４】
なお、本実施例においてジョイント部材８を上胴縁５と下胴縁６と連結して、フェンスパネル体３と支柱２を連結しているが、ブラケットを用いて中間胴縁４と支柱２を連結しても構わない。また、フェンスパネル体３の支柱２への取付方法については特に限定されるものでなく、ジョイント部材８の形状、支柱２と胴縁４，５，６との取付方法は、これまで一般的に用いられている方法によって取付けることができる。
上記実施例は、フェンスパネル体３の端部に支柱２を配置したフェンスであるが、フェンスパネル体３の側面位置から胴縁４，５，６を支持する所謂自由支柱仕様としても構わない。
【００１５】
【発明の効果】
本発明フェンスによれば、上側フェンスパネル体と下側フェンスパネル体を中間胴縁を介して一体的に連結し、上側フェンスパネル体の上部に上胴縁を設け、下側フェンスパネル体の下部に下胴縁を設け、中間胴縁、上胴縁及び下胴縁の何れかを支柱に取付けているので、上側フェンスパネル体と下側フェンスパネル体を個別に支柱に取付けることなく、上下のフェンスパネル体を一纏めにして支柱へ取付けることができ、フェンスパネル体の支柱への取付けが簡単に行えると共に、フェンスパネル体と支柱を連結するブラケット等の部品点数を削減することができ、上下のフェンスパネル体の突合せ部分における外観を良好なものとすることができる等実施上の効果は多大である。
【図面の簡単な説明】
【図１】本発明フェンスの全体図
【図２】本発明フェンスにおけるフェンスパネル体の全体図
【図３】本発明フェンスにおける上胴縁部分の要部断面図
【図４】本発明フェンスにおける中間胴縁部分の要部断面図
【図５】本発明フェンスにおける下胴縁部分の要部断面図
【図６】本発明フェンスにおけるフェンスパネル体と支柱の連結部分を表す要部拡大図
【図７】本発明フェンスにおけるフェンスパネル体の他の実施例
【図８】従来のフェンスの全体図
【符号の説明】
１　　　フェンス
２　　　支柱
３　　　フェンスパネル体
４　　　中間胴縁
５　　　上胴縁
６　　　下胴縁
３１１Ａ、３１１Ｂ　　　係合部
４１Ａ、４１Ｂ　　　被係合部（中間胴縁）
５１　　　被係合部（上胴縁）
６１　　　被係合部（下胴縁）
【図１】
2004076290.tif 000003
【図２】
2004076290.tif 000004
【図３】
2004076290.tif 000005
【図４】
2004076290.tif 000006
【図５】
2004076290.tif 000007
【図６】
2004076290.tif 000008
【図７】
2004076290.tif 000009
【図８】
2004076290.tif 000010